(57)【要約】【課題】利用者に効率のよい案内を行い、かつ、利用者に負担をかけずに操作することができるワイヤレス案内システムを提供する。【解決手段】利用者が携帯する無線タグ１０であって複数の目的地情報を記録できる第一のデータ記録部１３と、第一の制御部１１と、第一の無線通信部１２と、を有する無線タグ１０及び、第二の制御部２１と、第二の無線通信部２２と、ルート演算部２３と、ルート表示部２４を有する案内マップ装置２０を備えたワイヤレス案内システムにおいて、予め目的地情報を記録させた無線タグ１０が、案内マップ装置２０に近づいた場合、案内マップ装置２０は、第二の無線通信部２２及び第一の無線通信部１２を介して第一のデータ記録部１３に記録されている目的地情報を取得し、取得した目的地情報を基にルート演算部２３で目的地までのルートを算出し、ルート表示部２４で表示するようにしたものである。【選択図】  図１
2004212074.tif 000002
【特許請求の範囲】
【請求項１】
利用者が携帯する無線タグであって複数の目的地情報を記録できる第一のデータ記録部と、無線タグの動作をコントロールする第一の制御部と、第一の無線通信部と、を有する無線タグ及び、案内マップ装置の動作をコントロールする第二の制御部と、無線タグと通信するための第二の無線通信部と、目的地までのルートを算出するルート演算部と、前記ルート演算部が算出した目的地までのルートを表示するルート表示部を有する案内マップ装置を備えたワイヤレス案内システムにおいて、予め目的地情報を記録させた無線タグが、案内マップ装置に近づいた場合、案内マップ装置は、第一の無線通信部及び第二の無線通信部を介して第一のデータ記録部に記録されている目的地情報を取得し、前記取得した目的地情報を基にルート演算部で目的地までのルートを算出し、前記ルート演算部が算出した目的地までのルートをルート表示部で表示するものであることを特徴とするワイヤレス案内システム。
【請求項２】
案内マップ装置は、第一の無線通信部及び第二の無線通信部を介して第一のデータ記録部のデータを書き換えることができる第一のデータ書換部とデータ書き換えの操作を行う操作部を備えたことを特徴とする請求項１記載のワイヤレス案内システム。
【請求項３】
読み取り端末と、サーバと、を備え、読み取り端末は、読み取り端末の動作をコントロールする第三の制御部と、無線タグ及びサーバと通信することができる第三の無線通信部と、データを記録するための第二のデータ記録部と前記第二のデータ記録部が記録したデータを表示する表示部と、第一の無線通信部及び第三の無線通信部を介して第一のデータ記録部のデータを書き換える第二のデータ書換部と、を有し、サーバは、サーバの動作をコントロールする第四の制御部と、無線タグ及び読み取り端末と通信することができる第四の無線通信部と、各無線タグに対応する情報が記録されている第三のデータ記録部と、を有し、前記読み取り端末を予め目的地に設置し、予め目的地情報を記録された無線タグが第一のデータ記録部に登録された目的地に対応する読み取り端末に近づいた場合、第三の無線通信部及び第四の無線通信部を介して第三のデータ記録部から該当無線タグに対応するデータを第二のデータ記録部が取得し、前記取得したデータを表示部が表示するものであることを特徴とする請求項１又は請求項２記載のワイヤレス案内システム。
【請求項４】
予め目的地情報を記録させた無線タグが第一のデータ記録部に登録された目的地に対応する読み取り端末に近づいた場合、読み取り端末は、第三の無線通信部及び第一の無線通信部を介して第一のデータ記録部に訪問済みであることを書き込み、また、案内マップ装置は、第二の無線通信部及び第一の無線通信部を介して無線タグの第一のデータ記録部より訪問済みである情報を取得し、ルート表示部に既に訪問した目的地と未訪問の目的地を区別して表示し、未訪問目的地を訪問するルートを再演算し表示するものであることを特徴とする請求項３記載のワイヤレス案内システム。
【請求項５】
予め目的地情報を記録させた無線タグが第一のデータ記録部に訪問済み目的地の記録がある場合は、無線タグが該当する読み取り端末に近づいても読み取り端末は、第三のデータ記録部から各無線タグに対応するデータを取得せず、また、第一のデータ記録部に訪問済みであることを書き込まないようにするものであることを特徴とする請求項４記載のワイヤレス案内システム。
【発明の詳細な説明】
【０００１】
【発明の属する技術分野】
本発明は、無線タグと案内マップ装置を用いたワイヤレス案内システムに関するものである。
【０００２】
【従来の技術】
一般的なワイヤレス案内システムを図９に示す。１４１は、利用者が所持する携帯端末である。１４２は、読み取り端末であり、携帯端末１４１に情報を送信することができる。この場合は、読み取り端末１４２は、施設内の複数の地点に設置されており、携帯端末１４１が読み取り端末１４２に近づいた場合に読み取り端末１４２の記録部に蓄えられた案内情報を携帯端末１４１が取得し、表示などを行い利用者はその場所に応じた案内情報を利用できるものである。
【０００３】
また、他のワイヤレス案内システムとしては、特開２００１−１１６５８３号公報に示すようなものが知られている。このワイヤレス案内システムは、利用者が携帯表示装置を携帯し、フロアに設けられた固定案内端末で検索した目的地及びフロアマップの情報及び利用者の現在位置や現在位置から目的地までの推奨経路をこの携帯表示装置に記録又は通信させて必要なときに参照できるシステムである。
【０００４】
【特許文献１】
特開２００１−１１６５８３号公報
【０００５】
【発明が解決しようとする課題】
図９で説明した従来技術のようなワイヤレス案内システムは、必要な情報が異なっている全ての携帯端末の利用者が、同じ場所では同一の情報を取得することになる。しかし、利用者はそれぞれ目的地などの必要な情報が異なっており、必要とする案内情報も異なる。そのため、利用者が効率のよい案内を受けられないという問題点がある。
【０００６】
また、特開２００１−１１６５８３号公報のような従来技術では、それぞれの利用者に異なる案内情報を提供しようとするので、利用者が機器の操作をしなければならなく、利用者の操作が複雑になり、利用者の負担になるという問題点がある。
【０００７】
本発明は、このような問題を解決するためになされたものであり、その目的とするところは、利用者に効率のよい案内を行い、利用者の操作が簡単なワイヤレス案内システムを提供することである。
【０００８】
【課題を解決するための手段】
上記問題点を解決するため、請求項１記載の発明にあっては、利用者が携帯する無線タグであって複数の目的地情報を記録できる第一のデータ記録部と、無線タグの動作をコントロールする第一の制御部と、第一の無線通信部と、を有する無線タグ及び、案内マップ装置の動作をコントロールする第二の制御部と、無線タグと通信するための第二の無線通信部と、目的地までのルートを算出するルート演算部と、前記ルート演算部が算出した目的地までのルートを表示するルート表示部を有する案内マップ装置を備えたワイヤレス案内システムにおいて、予め目的地情報を記録させた無線タグが、案内マップ装置に近づいた場合、案内マップ装置は、第一の無線通信部及び第二の無線通信部を介して第一のデータ記録部に記録されている目的地情報を取得し、前記取得した目的地情報を基にルート演算部で目的地までのルートを算出し、前記ルート演算部が算出した目的地までのルートをルート表示部で表示するようにしたものである。
【０００９】
したがって、従来は、利用者の操作によって案内マップ装置を表示させ、目的地及びフロアマップの情報を第一のデータ記録部に記録させていたが、本発明では、利用者が、予め目的地情報を記録させた無線タグを携帯するだけで案内マップ装置で経路確認ができるので、利用者に負担をかけずに複数の目的地を効率良く訪問するルートを知ることができる。
【００１０】
請求項２記載の発明にあっては、特に、案内マップ装置は、第二の無線通信部及び第一の無線通信部を介して第一のデータ記録部のデータを書き換えることができる第一のデータ書換部とデータ書き換えの操作を行う操作部を備えたものである。
【００１１】
したがって、この場合は、特に、無線タグ内の目的地情報の変更を容易に行うことができる。
【００１２】
請求項３記載の発明にあっては、読み取り端末と、サーバと、を備え、読み取り端末は、読み取り端末の動作をコントロールする第三の制御部と、無線タグ及びサーバと通信することができる第三の無線通信部と、データを記録するための第二のデータ記録部と前記第二のデータ記録部が記録したデータを表示する表示部と、第一の無線通信部及び第三の無線通信部を介して第一のデータ記録部のデータを書き換える第二のデータ書換部と、を有し、サーバは、サーバの動作をコントロールする第四の制御部と、無線タグ及び読み取り端末と通信することができる第四の無線通信部と、各無線タグに対応する情報が記録されている第三のデータ記録部と、を有し、前記読み取り端末を予め目的地に設置し、予め目的地情報を記録された無線タグが第一のデータ記録部に登録された目的地に対応する読み取り端末に近づいた場合、第三の無線通信部及び第四の無線通信部を介して第三のデータ記録部から該当無線タグに対応するデータを第二のデータ記録部が取得し、前記取得したデータを表示部が表示するようにしたものである。
【００１３】
したがって、この場合は、特に、読み取り端末の利用者は、無線タグ所有者の情報を効率よく収集することができる。
【００１４】
更に、すべてのシステムを無線により接続しているので、上記ワイヤレス案内システムを設置する際にケーブルによる接続の必要が無く、レイアウト変更などのメンテナンス性に優れる。
【００１５】
請求項４記載の発明にあっては、特に、予め目的地情報を記録させた無線タグが第一のデータ記録部に登録された目的地に対応する読み取り端末に近づいた場合、読み取り端末は、第三の無線通信部及び第一の無線通信部を介して第一のデータ記録部に訪問済みであることを書き込み、また、案内マップ装置は、第二の無線通信部及び第一の無線通信部を介して無線タグの第一のデータ記録部より訪問済みである情報を取得し、ルート表示部に既に訪問した目的地と未訪問の目的地を区別して表示し、未訪問目的地を訪問するルートを再演算し表示するようにしたものである。
【００１６】
したがって、この場合は、特に、利用者は案内マップ装置で、未訪問の目的地を訪問するための最適なルートと既に訪問済みの目的地を知ることができるので、効率良く目的地に行くことが出来る。
【００１７】
請求項５記載の発明にあっては、特に、予め目的地情報を記録させた無線タグが第一のデータ記録部に訪問済み目的地の記録がある場合は、無線タグが該当する読み取り端末に近づいても読み取り端末は、第三のデータ記録部から各無線タグに対応するデータを取得せず、また、第一のデータ記録部に訪問済みであることを書き込まないようにするものである。
【００１８】
したがって、この場合は、特に、読み取り端末が重複した処理を行わないので効率的な案内を行うことができる。
【００１９】
【発明の実施の形態】
図1から図３は、本発明の請求項１及び請求項２に対応した第一の実施形態であるワイヤレス案内システムの構成を示している。
【００２０】
この実施形態のワイヤレス案内システムは、利用者が携帯する無線タグ１０であって複数の目的地情報を記録できる第一のデータ記録部１３と、無線タグ１０の動作をコントロールする第一の制御部１１と、第一の無線通信部１２と、を有する無線タグ１０及び、案内マップ装置２０の動作をコントロールする第二の制御部２１と、無線タグ１０と通信するための第二の無線通信部２２と、目的地までのルートを算出するルート演算部２３と、前記ルート演算部２３が算出した目的地までのルートを表示するルート表示部２４を有する案内マップ装置２０を備えたワイヤレス案内システムにおいて、予め目的地情報を記録させた無線タグ１０が、案内マップ装置２０に近づいた場合、案内マップ装置２０は、第二の無線通信部２２及び第一の無線通信部１２を介して第一のデータ記録部１３に記録されている目的地情報を取得し、前記取得した目的地情報を基にルート演算部２３で目的地までのルートを算出し、前記ルート演算部２３が算出した目的地までのルートをルート表示部２４で表示するようにしたものである。
【００２１】
更に、案内マップ装置２０は、第一の無線通信部１２及び第二の無線通信部２２を介して第一のデータ記録部１３のデータを書き換えることができる第一のデータ書換部２５とデータ書き換えの操作を行う操作部２６を備えたものである。
【００２２】
以下に、このワイヤレス案内システムの実施形態についてより詳細に説明する。図１の案内マップ装置２０と無線タグ１０は、互いに無線通信できるものである。図２は、図１中の無線タグ１０の構成を示しており、第一の制御部１１は、無線タグの動作をコントロールするものであり、第一の無線通信部１２は、案内マップ装置２０と通信を行うものであり、第一のデータ記録部１３は、目的地情報を記録するものである。図３は、図１の案内マップ装置２０の構成を示しており、第二の制御部２１は、案内マップ装置２０の動作をコントロールするものであり、第二の無線通信部２２は、無線タグ１０と通信を行うものであり、ルート演算部２３は、目的地情報を基に目的地までの最適なルートを算出するものであり、ルート表示部２４は、前記算出結果を表示するものであり、第一のデータ書換部２５は、操作部２６を操作することにより無線タグ１０の第一のデータ記録部１３に記録される目的地情報の変更ができるものである。
【００２３】
利用者が所持する無線タグ１０の第一のデータ記録部１３には個々の無線タグ１０を識別するための固有のＩＤ番号と予め１つ以上の目的地を表す情報が記録されている。利用者が無線タグ１０を所持して、施設内に設置された案内マップ装置２０に近づいた場合、無線タグ１０と案内マップ装置２０は互いに無線通信を行い案内マップ装置２０は第一のデータ記録部１３に記録された目的地情報を取得する。案内マップ装置２０では、取得した目的地情報から、ルート演算部２３で演算を行い、現在地から目的地までの最適なルートを算出し、ルート表示部２４に算出したルートの表示を行う。図４は、ルート表示例である。ただし、図４に示す表示例では、施設内の見取り図と記号及び矢印を用いて案内ルートを表示しているが、この方法に限定するものではなく、光と音声等を用いても良い。
【００２４】
また、各目的地に対してイベントの開催時間などの時間情報が併せて記録されている場合には、目的地を訪問するルートを算出する際に、目的地の位置情報だけでなく時間情報も含んでルートの算出をする。
【００２５】
また、第一のデータ記録部１３への目的地情報の書き換えは、案内マップ装置２０の操作部２６を使い、第二の無線通信部２２及び第一の無線通信部１２を介して行い、利用者は操作部２６の操作のみで上記の書き換えを行うことができる。また、操作部２６に操作パネル（図示せず）を設けて操作してもよいし、操作パネルは、タッチパネルを使用してルート表示部２４と一体にしても良い。
【００２６】
なお、案内マップ装置２０の第二の制御部２１が第一のデータ記録部１３に記録された目的地情報を取得しルート演算部２３で演算をおこない目的地までの最適なルートを算出しても良い。また、ルート演算部２３が、第一のデータ記録部１３に記録された目的地情報を取得し、演算をおこない目的地までの最適なルートを算出しても良い。
【００２７】
また、ルート演算部２３を独立して設けずに第二の制御部２１の中に組み込み、第二の制御部２１が目的地情報を取得し、ルートの演算をおこない目的地までの最適なルートを算出しても良い。
【００２８】
したがって、従来は、利用者の操作によって案内マップ装置を表示させ、目的地及びフロアマップの情報を第一のデータ記録部に記録させていたが、この場合、利用者は、無線タグ１０を携帯するだけで案内マップ装置２０で経路の確認ができ、複数の目的地を効率良く訪問するルートを知ることができる。
【００２９】
更に、ワイヤレス案内システムの利用者は、簡単な操作で第一のデータ記録部１３に記録される目的地情報の書き換えを行うことができる。
【００３０】
図５から図７は、本発明の請求項１から請求項５に対応した第二の実施形態であるワイヤレス案内システムの構成を示している。
【００３１】
この実施形態のワイヤレス案内システムは、読み取り端末３０と、サーバ４０と、を備え、読み取り端末３０は、読み取り端末３０の動作をコントロールする第三の制御部３１と、無線タグ１０及びサーバ４０と通信することができる第三の無線通信部３２と、データを記録するための第二のデータ記録部３３と前記第二のデータ記録部３３が記録したデータを表示する表示部３４と、第一の無線通信部１２及び第三の無線通信部３２を介して第一のデータ記録部１３のデータを書き換える第二のデータ書換部３５と、を有し、サーバ４０は、サーバ４０の動作をコントロールする第四の制御部４１と、無線タグ１０及び読み取り端末３０と通信することができる第四の無線通信部４２と、各無線タグ１０に対応する情報が記録されている第三のデータ記録部４３と、を有し、前記読み取り端末３０を予め目的地に設置し、予め目的地情報を記録された無線タグ１０が第一のデータ記録部１３に登録された目的地に対応する読み取り端末３０に近づいた場合、第三の無線通信部３２及び第四の無線通信部４２を介して第三のデータ記録部４３から該当無線タグ１０に対応するデータを第二のデータ記録部３３が取得し、前記取得したデータを表示部３４により表示するようにしたものである。
【００３２】
更に、予め目的地情報を記録させた無線タグ１０が第一のデータ記録部１３に登録された目的地に対応する読み取り端末３０に近づいた場合、読み取り端末３０は、第三の無線通信部３２及び第一の無線通信部１２を介して第一のデータ記録部１３に訪問済みであることを書き込み、また、案内マップ装置２０は、第二の無線通信部２２及び第一の無線通信部１２を介して無線タグ１０の第一のデータ記録部１３より訪問済みである情報を取得し、ルート表示部２４に既に訪問した目的地と未訪問の目的地を区別して表示し、未訪問目的地を訪問するルートを再演算し表示するようにしたものである。
【００３３】
更に、予め目的地情報を記録させた無線タグ１０が第一のデータ記録部１３に訪問済み目的地の記録がある場合は、無線タグ１０が該当する読み取り端末３０に近づいても読み取り端末３０は、第三のデータ記録部４３から各無線タグ１０に対応するデータを取得せず、また、第一のデータ記録部１３に訪問済みであることを書き込まないようにするものである。
【００３４】
以下に、このワイヤレス案内システムの実施形態についてより詳細に説明する。
【００３５】
図５は、図１のワイヤレス案内システムに読み取り端末３０とサーバ４０とを加えたものであり、無線タグ１０と読み取り端末３０は、互いに無線通信できるものであり、読み取り端末３０とサーバ４０は、互いに無線通信できるものである。図６は、図５中の読み取り端末３０の構成を示しており、第三の制御部３１は、読み取り端末３０の動作をコントロールするものであり、第三の無線通信部３２は、無線タグ１０及びサーバ４０との無線通信を行うものであり、第二のデータ記録部３３は、読み取り端末３０にサーバ４０から取得した情報を記録するものであり、表示部３４は、データ記録部３３が取得したデータの表示を行うものであり、第二のデータ書換部３５は、第一の無線通信部１２及び第三の無線通信部３２を介して第一のデータ記録部１３のデータを書き換えるものである。また、図７は、図５中のサーバ４０の構成を示しており、第四の制御部４１は、サーバ４０の動作をコントロールするものであり、第四の無線通信部４２は、読み取り端末３０と無線通信を行うものであり、第三のデータ記録部４３は、各無線タグ１０に対応する情報が記録されているものである。
【００３６】
上記ワイヤレス案内システムにおいて、第一のデータ記録部１３に記録されている目的地にはその目的地とそれぞれ１対１に対応する読み取り端末３０が設置されており、第三の無線通信部３２は固有の目的地情報を含む信号を送信している。無線タグ１０がデータ記録部１３に登録された目的地に対応する読み取り端末３０に近づき、登録された目的地情報と読み取り端末３０から受信した目的地情報が一致した場合には、無線タグ１０から読み取り端末３０へ返信を行う。返信を受けた読み取り端末３０では、該当する無線タグ１０に対応する情報をサーバ４０から無線接続により取得することができる。取得した情報はデータ記録部３３に記録され、表示部３４で表示を行うことができる。情報の取得は無線タグ１０からの返信を受けたときに自動的に行うようにしても良いし、読み取り端末３０上で所定の操作を行った場合に情報を取得するようにしてもよい。
【００３７】
上記のシステムは、例えば、病院又は展示会等のイベントで使用されるワイヤレス案内システムが考えられる。
【００３８】
病院で使用するワイヤレス案内システムでは、利用者が病院で受診を受けようとする場合に利用者は、予め利用者の情報（名前、カルテ番号等）と受診しようとする目的地の情報が記録された無線タグ１０を持って受診先に行き、無線タグ１０がデータ記録部１３に登録された目的地に対応する読み取り端末３０に近づき登録された目的地情報と読み取り端末３０から受信した目的地情報が一致した場合には、無線タグ１０から読み取り端末３０へ返信を行う。返信を受けた読み取り端末３０では、該当する無線タグ１０に対応する利用者のカルテなどの情報をサーバ４０から無線接続により取得することができる。
【００３９】
また、展示会場等のイベントで使用するワイヤレス案内システムでは、利用者が展示ブース（目的地）に行こうとする場合は、予め利用者及び利用者の勤めている会社などの情報と展示会社のブースの情報が記録された無線タグ１０を持って展示会社のブースに行き無線タグ１０がデータ記録部１３に登録された目的地に対応する読み取り端末３０に近づき、登録された目的地情報と読み取り端末３０から受信した目的地情報が一致した場合には、無線タグ１０から読み取り端末３０へ返信を行う。返信を受けた読み取り端末３０では、該当する無線タグ１０に対応する利用者が所属する会社などの情報をサーバ４０から無線接続により取得することができる。
【００４０】
更に、読み取り端末３０は、第二のデータ書換部３５により第一のデータ記録部１３の目的地情報に訪問済みの情報を書き込む。本実施形態では読み取り端末３０内の第二のデータ書換部３５により、第一のデータ記録部１３のデータの書換を行っているが、これに限定するものではなく第二のデータ書換部３５を無線タグ１０内に設けて無線タグ１０内で第一のデータ記録部１３の書換処理を行っても良い。
【００４１】
更に、案内マップ装置２０は、第一のデータ記録部１３に記録されている目的地情報、訪問済み情報を無線通信により取得する。つぎに、案内マップ装置２０のルート演算部２３により、まだ訪問していない目的地を訪問するためのルートの演算を行う。そして、ルート表示部２４で演算されたルート及び訪問済み目的地の表示を行う。図８に表示例を示す。施設内の見取り図と記号及び矢印を用いて案内ルートを表示しているが、この方法に限定するものではなく、図形や音声を用いたものでも良い。
【００４２】
更に、予め目的地情報を記録させた無線タグ１０が第一のデータ記録部１３に訪問済み目的地の記録がある場合は、無線タグ１０が該当する読み取り端末３０に近づいても読み取り端末３０は、第三の無線通信部３２及び第四の無線通信部４２を介して第三のデータ記録部４３から各無線タグ１０に対応するデータを取得せず、また、第二の無線通信部２２及び第一の無線通信部１２を介して第一のデータ記録部１３に訪問済みであることを込まないようにするものである。
【００４３】
したがって、この場合は、特に、読み取り端末３０の利用者は、無線タグ１０の所有者の情報を効率よく収集することができる。また、すべてのシステムを無線により接続しているので、設置する際にケーブルによる接続の必要が無く、レイアウト変更などのメンテナンス性に優れる。
【００４４】
更に、この実施形態のワイヤレス案内システムの場合は、特に、利用者は案内マップ装置２０で、未訪問の目的地を訪問するための最適なルートと既に訪問済みの目的地を知ることができるので、利用者は、効率良く目的地に行くことが出来る。
【００４５】
更に、利用者は訪問済みの目的地を再度訪問した場合に重複した処理を行わないので、効率的な案内を受けることができる。
【００４６】
なお、第一のデータ記録部１３に登録された目的地に対応する読み取り端末３０に近づき、登録された目的地情報と読み取り端末３０から受信した目的地情報が一致した場合には、無線タグ１０の報知部（図示せず）により無線タグ１０の所有者に予め登録した目的地に到着したことを知らせても良い。報知手段としては、音、光、振動などである。目的地への到着の判定方法として読み取り端末３０から送信された目的地情報と無線タグ１０が所持する目的地情報を無線タグ１０内で比較することにより行っているが、この方法に限定するものではなく、他に、無線タグ１０に目的地情報を書き込む際に、対応する読み取り端末３０にも無線タグ１０を識別するための情報を記録しておき、該当無線タグ１０からの無線信号を受信した場合に、無線タグ１０を発報させるための信号を送信するようにしてもよい。この場合は読み取り端末内に無線タグ識別情報記録部を設ける（図示せず）。したがって、無線タグ１０の利用者は、登録した目的地に到着したことを確実に知ることができる。
【００４７】
【発明の効果】
上述の如く、本発明の請求項１記載の発明にあっては、利用者は、複雑な操作をすることなく案内マップ装置で経路の確認ができ、複数の目的地を効率良く訪問するルートを知ることができる。
【００４８】
又、本発明の請求項２記載の発明にあっては、特に、簡単な操作で第一のデータ記録部に記録される目的地情報の書き換えを行うことができる。
【００４９】
又、本発明の請求項３記載の発明にあっては、読み取り端末の利用者は、無線タグ所有者の情報を効率よく収集することができる。
【００５０】
又、本発明の請求項４記載の発明にあっては、特に、利用者は、効率良く目的地に行くことが出来る。
【００５１】
又、本発明の請求項５記載の発明にあっては、特に、重複した処理を行わないので、効率的な案内を行うことができる。
【図面の簡単な説明】
【図１】本発明の第一の実施形態であるワイヤレス案内システムを示す構成図
【図２】上記ワイヤレス案内システムの無線タグを示す構成図
【図３】上記ワイヤレス案内システムの案内マップ装置を示す構成図
【図４】上記ワイヤレス案内システムが示す案内ルートの表示例
【図５】本発明の第二の実施形態であるワイヤレス案内システムを示す構成図
【図６】上記ワイヤレス案内システムの読み取り端末を示す構成図
【図７】上記ワイヤレス案内システムのサーバを示す構成図
【図８】上記ワイヤレス案内システムが示す案内ルートの表示例
【図９】従来のワイヤレス案内システムを示す構成図
【符号の説明】
１０   無線タグ
１１   第一の制御部
１２   第一の無線通信部
１３   第一のデータ記録部
２０   案内マップ装置
２１   第二の制御部
２２   第二の無線通信部
２３   ルート演算部
２４   ルート表示部
２５   第一のデータ書換部
２６   操作部
３０   読み取り端末
３１   第三の制御部
３２   第三の無線通信部
３３   第二のデータ記録部
３４   表示部
３５   第二のデータ書換部
４０   サーバ
４１   第四の制御部
４２   第四の無線通信部
４３   第三のデータ記録部
【図１】
2004212074.tif 000003
【図２】
2004212074.tif 000004
【図３】
2004212074.tif 000005
【図４】
2004212074.tif 000006
【図５】
2004212074.tif 000007
【図６】
2004212074.tif 000008
【図７】
2004212074.tif 000009
【図８】
2004212074.tif 000010
【図９】
2004212074.tif 000011